(57)【要約】  簡単な構成で、高密度の磁気記録を行うことができる磁気記録装置を提供することを目的とする。  円盤状の磁気ディスクを回転させるディスク駆動手段と、磁気ディスクの円周状のトラックを加熱する加熱部と電気信号によって変調された磁界を磁気ディスクに印加する記録素子とを有するヘッドと、駆動軸を中心に回転することで、ヘッドを磁気ディスクの半径方向に円弧状に移動させるヘッド駆動手段と、を備えた磁気記録装置において、記録素子は、磁気ディスクの半径方向の何れのトラックにおいても、加熱部が加熱したトラックを横切るような磁気印加部を有する。
2008068973.tif 000002
【特許請求の範囲】
【請求項１】
円盤状の磁気ディスクを回転させるディスク駆動手段と、
前記磁気ディスクの円周状のトラックを加熱する加熱部と電気信号によって変調された磁界を前記磁気ディスクに印加する記録素子とを有するヘッドと、
駆動軸を中心に回転することで、前記ヘッドを前記磁気ディスクの半径方向に円弧状に移動させるヘッド駆動手段と、を備えた磁気記録装置において、
前記記録素子は、前記磁気ディスクの半径方向の何れのトラックにおいても、前記加熱部が加熱した前記トラックを横切るような磁気印加部を有することを特徴とする磁気記録装置。
【請求項２】
前記加熱部の中心と前記駆動軸の回転中心を結ぶ線分が前記磁気印加部と交差する点と、前記加熱部の中心との距離をｄ１、
最外周のトラックにおいて前記加熱部の中心と前記駆動軸の回転中心を結ぶ線分Ｌ１と、前記加熱部が加熱した前記トラックの最外周の接線Ｓ１との成す角をθ１、
最内周のトラックにおいて前記加熱部の中心と前記駆動軸の回転中心を結ぶ線分Ｌ３と、前記加熱部が加熱した前記トラックの最内周の接線Ｓ２との成す角をθ２、とした場合、
前記磁気印加部の長さＧは式（Ａ）を満足することを特徴とする請求の範囲第１項に記載の磁気記録装置。
Ｇ＞ｄ１×ｔａｎ｜θ１｜＋ｄ１×ｔａｎ｜θ２｜・・・・（Ａ）
【請求項３】
前記磁気印加部の形状は、前記加熱部の中心を中心とする円弧状であることを特徴とする請求の範囲第１項に記載の磁気記録装置。
【請求項４】
前記加熱部は、光の照射によって前記トラックを加熱するものであることを特徴とする請求の範囲第１項乃至第３項の何れか１項に記載の磁気記録装置。
【請求項５】
前記ヘッドは、光源からの光を該ヘッドに導くための光ファイバが配設されていることを特徴とする請求の範囲第４項に記載の磁気記録装置。
【請求項６】
前記加熱部は、近接場光を発生させて前記トラックに照射するためのプラズモンプローブを有することを特徴とする請求の範囲第４項に記載の磁気記録装置。
【請求項７】
前記ヘッドは、前記磁気ディスクに記録された磁気情報を読みとるための再生素子を有することを特徴とする請求の範囲第１項乃至第３項の何れか１項に記載の磁気記録装置。
【請求項８】
回転している円盤状の磁気ディスクの円周状のトラックを加熱する加熱部と電気信号によって変調された磁界を前記磁気ディスクに印加する記録素子とを有するヘッドと、
駆動軸を中心に回転することで、前記ヘッドを前記磁気ディスクの半径方向に円弧状に移動させるヘッド駆動手段と、を備えた磁気記録ヘッドにおいて、
前記記録素子は、前記磁気ディスクの半径方向の何れのトラックにおいても、前記加熱部が加熱した前記トラックを横切るような磁気印加部を有することを特徴とする磁気記録ヘッド。
【請求項９】
前記加熱部の中心と前記駆動軸の回転中心を結ぶ線分が前記磁気印加部と交差する点と、前記加熱部の中心との距離をｄ１、
最外周のトラックにおいて前記加熱部の中心と前記駆動軸の回転中心を結ぶ線分Ｌ１と、前記加熱部が加熱した前記トラックの最外周の接線Ｓ１との成す角をθ１、
最内周のトラックにおいて前記加熱部の中心と前記駆動軸の回転中心を結ぶ線分Ｌ３と、前記加熱部が加熱した前記トラックの最内周の接線Ｓ２との成す角をθ２、とした場合、
前記磁気印加部の長さＧは式（Ａ）を満足することを特徴とする請求の範囲第８項に記載の磁気記録ヘッド。
Ｇ＞ｄ１×ｔａｎ｜θ１｜＋ｄ１×ｔａｎ｜θ２｜・・・・（Ａ）
【請求項１０】
前記磁気印加部の形状は、前記加熱部の中心を中心とする円弧状であることを特徴とする請求の範囲第８項に記載の磁気記録ヘッド。
【請求項１１】
前記加熱部は、光の照射によって前記トラックを加熱するものであることを特徴とする請求の範囲第８項乃至第１０項の何れか１項に記載の磁気記録ヘッド。
【請求項１２】
前記ヘッドは、光源からの光を該ヘッドに導くための光ファイバが配設されていることを特徴とする請求の範囲第１１項に記載の磁気記録ヘッド。
【請求項１３】
前記加熱部は、近接場光を発生させて前記トラックに照射するためのプラズモンプローブを有することを特徴とする請求の範囲第１１項に記載の磁気記録ヘッド。
【請求項１４】
前記ヘッドは、前記磁気ディスクに記録された磁気情報を読みとるための再生素子を有することを特徴とする請求の範囲第８項乃至第１０項の何れか１項に記載の磁気記録ヘッド。
【発明の詳細な説明】
【技術分野】
【０００１】
本発明は、磁気記録装置及び磁気記録ヘッドに関する。
【背景技術】
【０００２】
磁気記録方式では、記録密度が高くなると磁気ビットが外部温度等の影響を顕著に受けるようになる。このため高い保磁力を有する記録媒体が必要になるが、そのような記録媒体を使用すると記録時に必要な磁界も大きくなる。記録ヘッドによって発生する磁界は飽和磁束密度によって上限が決まるが、その値は材料限界に近づいており飛躍的な増大は望めない。そこで、記録時に局所的に加熱して磁気軟化を生じさせ、保磁力が小さくなった状態で記録し、その後に加熱を止めて自然冷却することにより、記録した磁気ビットの安定性を保証する方式が提案されている。この方式は熱アシスト磁気記録方式と呼ばれている。【０００３】
この記録方式では加熱部を用いて磁気ディスクの一部の領域を昇温し、この領域の保磁力を下げ、この保磁力の下がった領域に記録素子を用いて磁化パターンを形成する一連の動作によって、記録素子の必要発生磁界を軽減するものである。さらに、記録動作の後にはディスクは室温に戻るため、小さな磁化パターンでも熱擾乱の影響を受けにくく、長時間に渡って記録パターンが安定して存在する効果を狙ったものである。この熱アシスト型では記録素子の発生する磁界の領域で磁化パターンが形成される。【０００４】
しかしながら、このような熱アシスト磁気記録ヘッドを用いた磁気記録装置において、熱アシスト磁気記録ヘッドを磁気ディスクの半径方向に弧を描いて移動させると、記録素子が記録するトラックとヘッドの角度が変化するので、記録素子より前方の離れた位置にある加熱部は異なるトラックを加熱する場合がある。このような場合には、記録素子の通過するトラックは加熱されていないので正しく磁気ディスク上に磁化パターンを形成することはできない。【０００５】
このような課題を解決するため、例えば、加熱に用いるレーザ光を発生磁界の領域に斜め方向から照射し、加熱領域と発生磁界の領域を近づける方法が提案されている（例えば、特許文献１参照）。また、導波管を用いてできるだけヘッドの近傍から加熱に用いるレーザ光を照射する方法が提案されている（例えば、特許文献２参照）。【０００６】
しかしながら、特許文献１の方法では、高密度に磁気記録を行うためヘッドと磁気ディスクの間隔を狭めると、レーザ光を斜めに照射する効果が低減して、記録素子の直下を加熱することができない。また、特許文献２の方法では、高密度に磁気記録を行うため記録素子を小型化すると、導波路の形成が著しく困難である。【０００７】
そのため、加熱部による加熱領域を記録素子に対して相対的にスライダの幅方向に移動させるオフセット機構を設けて加熱部と記録素子が離れた位置に配置されている影響を補正し、高密度に磁気記録を行う方法が提案されている（例えば、特許文献３参照）。また、特許文献３には複数の記録素子や複数の加熱部を設け適宜記録素子の一つや加熱部の一つを選択するなどして記録素子と加熱部による加熱領域を相対的にヘッドのスライダの幅方向に移動させる方法が提案されている。
【特許文献１】特開２００１−３１９３８７号公報
【特許文献２】特開２００２−５００１２号公報
【特許文献３】特開２００４−１３４０５１号公報
【発明の開示】
【発明が解決しようとする課題】
【０００８】
しかしながら、特許文献３に開示されているオフセット機構を設ける方法は、加熱部をスライダの幅方向に移動させるため精密な駆動手段が必要であり、微小なヘッドにこのような駆動手段を設けることは困難である。また、ヘッドがディスク上を移動するのに伴って加熱部を精度良く駆動するための制御回路と制御処理も複雑である。また、特許文献３には複数の記録素子や複数の加熱部を設け、適宜記録素子の一つや加熱部の一つを選択する方法も開示されているが、微小なヘッド上に多くの部品を設ける必要があり、複雑な制御回路と制御処理を必要とする。【０００９】
本発明は、上記課題に鑑みてなされたものであって、簡単な構成で、高密度の磁気記録を行うことができる磁気記録装置を提供することを課題とする。
【課題を解決するための手段】
【００１０】
上記の課題を解決するために、本発明は以下の特徴を有するものである。【００１１】
１．  円盤状の磁気ディスクを回転させるディスク駆動手段と、前記磁気ディスクの円周状のトラックを加熱する加熱部と電気信号によって変調された磁界を前記磁気ディスクに印加する記録素子とを有するヘッドと、駆動軸を中心に回転することで、前記ヘッドを前記磁気ディスクの半径方向に円弧状に移動させるヘッド駆動手段と、を備えた磁気記録装置において、前記記録素子は、前記磁気ディスクの半径方向の何れのトラックにおいても、前記加熱部が加熱した前記トラックを横切るような磁気印加部を有することを特徴とする磁気記録装置。【００１２】
２．  前記加熱部の中心と前記駆動軸の回転中心を結ぶ線分が前記磁気印加部と交差する点と、前記加熱部の中心との距離をｄ１、最外周のトラックにおいて前記加熱部の中心と前記駆動軸の回転中心を結ぶ線分Ｌ１と、前記加熱部が加熱した前記トラックの最外周の接線Ｓ１との成す角をθ１、最内周のトラックにおいて前記加熱部の中心と前記駆動軸の回転中心を結ぶ線分Ｌ３と、前記加熱部が加熱した前記トラックの最内周の接線Ｓ２との成す角をθ２、とした場合、前記磁気印加部の長さＧは式（Ａ）を満足することを特徴とする前記１に記載の磁気記録装置。【００１３】
Ｇ＞ｄ１×ｔａｎ｜θ１｜＋ｄ１×ｔａｎ｜θ２｜・・・・（Ａ）
３．  前記磁気印加部の形状は、前記加熱部の中心を中心とする円弧状であることを特徴とする前記１に記載の磁気記録装置。【００１４】
４．  前記加熱部は、光の照射によって前記トラックを加熱するものであることを特徴とする前記１乃至３の何れか１項に記載の磁気記録装置。【００１５】
５．  前記ヘッドは、光源からの光を該ヘッドに導くための光ファイバが配設されていることを特徴とする前記４に記載の磁気記録装置。【００１６】
６．  前記加熱部は、近接場光を発生させて前記トラックに照射するためのプラズモンプローブを有することを特徴とする前記４に記載の磁気記録装置。【００１７】
７．  前記ヘッドは、前記磁気ディスクに記録された磁気情報を読みとるための再生素子を有することを特徴とする前記１乃至３の何れか１項に記載の磁気記録装置。【００１８】
８．  回転している円盤状の磁気ディスクの円周状のトラックを加熱する加熱部と電気信号によって変調された磁界を前記磁気ディスクに印加する記録素子とを有するヘッドと、駆動軸を中心に回転することで、前記ヘッドを前記磁気ディスクの半径方向に円弧状に移動させるヘッド駆動手段と、を備えた磁気記録ヘッドにおいて、前記記録素子は、前記磁気ディスクの半径方向の何れのトラックにおいても、前記加熱部が加熱した前記トラックを横切るような磁気印加部を有することを特徴とする磁気記録ヘッド。【００１９】
９．  前記加熱部の中心と前記駆動軸の回転中心を結ぶ線分が前記磁気印加部と交差する点と、前記加熱部の中心との距離をｄ１、最外周のトラックにおいて前記加熱部の中心と前記駆動軸の回転中心を結ぶ線分Ｌ１と、前記加熱部が加熱した前記トラックの最外周の接線Ｓ１との成す角をθ１、最内周のトラックにおいて前記加熱部の中心と前記駆動軸の回転中心を結ぶ線分Ｌ３と、前記加熱部が加熱した前記トラックの最内周の接線Ｓ２との成す角をθ２、とした場合、前記磁気印加部の長さＧは式（Ａ）を満足することを特徴とする前記８に記載の磁気記録ヘッド。【００２０】
Ｇ＞ｄ１×ｔａｎ｜θ１｜＋ｄ１×ｔａｎ｜θ２｜・・・・（Ａ）
１０．  前記磁気印加部の形状は、前記加熱部の中心を中心とする円弧状であることを特徴とする前記８に記載の磁気記録ヘッド。【００２１】
１１．  前記加熱部は、光の照射によって前記トラックを加熱するものであることを特徴とする前記８乃至１０の何れか１項に記載の磁気記録ヘッド。【００２２】
１２．  前記ヘッドは、光源からの光を該ヘッドに導くための光ファイバが配設されていることを特徴とする前記１１に記載の磁気記録ヘッド。【００２３】
１３．  前記加熱部は、近接場光を発生させて前記トラックに照射するためのプラズモンプローブを有することを特徴とする前記１１に記載の磁気記録ヘッド。【００２４】
１４．  前記ヘッドは、前記磁気ディスクに記録された磁気情報を読みとるための再生素子を有することを特徴とする前記８乃至１０の何れか１項に記載の磁気記録ヘッド。
【発明の効果】
【００２５】
本発明によれば、磁気ディスクの半径方向の何れのトラックに記録を行う場合においても、加熱部が加熱したトラックを磁気印加部が横切るため、磁気ディスクの半径方向にヘッドを円弧状に移動させるときに発生する加熱部と記録素子の位置ずれの影響を受けることなく、簡単な構成で、高密度の磁気記録を行うことができる。
【図面の簡単な説明】
【００２６】
【図１】本発明に係る磁気記録装置の構成例を示す説明図である。
【図２】本発明に係る磁気記録装置の断面図である。
【図３】本発明に係るヘッドの一例の概略構成である。
【図４】本発明に係わる磁気記録装置１００において、ヘッド５３が磁気ディスク５１の半径方向に円弧状に移動する範囲を説明する説明図である。
【図５】図４で説明した各トラック位置における第１の実施形態のヘッド５３ａ、５３ｂ、５３ｃを、図４と同じ側から見た平面図である。
【図６】第１の実施形態の記録素子１０３の構成の一例を説明する図面である。
【図７】図４で説明した各トラック位置における第２の実施形態のヘッド５３ａ、５３ｂ、５３ｃを、図４と同じ側から見た平面図である。
【図８】第２の実施形態の記録素子１０３の構成の一例を説明する図面である。
【符号の説明】
【００２７】
１８  サスペンション部
１９  アーム
２１  光射出口
５１  磁気ディスク
５２  スピンドル
５３  ヘッド
５４  駆動軸
５５  光源
５６  光ファイバ
８０  モータ
１００  磁気記録装置
１０２  加熱部
１０３  記録素子
１０４  再生素子
１０８  プラズモンプローブ
１２０  磁気印加部
１２１  コア
１２３  コイル
【発明を実施するための最良の形態】
【００２８】
以下、図面に基づき本発明の実施形態を説明する。【００２９】
〔磁気記録装置１００の概略構成〕
図１及び図２に、本発明の実施形態である磁気記録装置１００の構成の概略を示す。図１は磁気記録装置１００の上面の図であり、図２は、磁気記録装置１００の図１におけるＡ−Ａ’方向の断面図である。【００３０】
磁気記録装置１００は、磁気ディスク５１、情報の記録や再生を行うためのヘッド５３、駆動軸５４及び光源５５を主に備える。図１に示すように、ヘッド５３は、アーム１９のサスペンション部１８に支持され、アーム１９は駆動軸５４に取り付けられている。磁気ディスク５１が停止しているとき、ヘッド５３はサスペンション部１８によって下方に付勢されているので、ヘッド５３の底面は磁気ディスク５１に接している。磁気ディスク５１が矢印Ｃ方向に回転を開始すると、ヘッド５３は底面に発生する空気流により例えば２〜３０ｎｍ程度の微小間隔で浮上し、磁気ディスク５１の磁性膜との距離を一定に保つ。【００３１】
光源５５は例えば半導体レーザ素子などのレーザ光源である。光源５５から出射したレーザ光は、光ファイバ５６によりヘッド５３に導かれる。【００３２】
図２は複数枚の磁気ディスク５１の両面に記録再生する磁気記録装置１００の断面図の一例である。磁気ディスク５１はそれぞれスピンドル５２に取り付けられ、スピンドル５２はモータ８１により駆動されている。また、各磁気ディスク５１の両面に記録再生を行う各ヘッド５３のアーム１９は駆動軸５４に取り付けられ、駆動軸５４はモータ８０により駆動されている。【００３３】
図示せぬ制御装置は、磁気ディスク５１に記録されているサーボパターンをヘッド５１に搭載された再生素子１０４で読み出し、読み出されたサーボ信号に基づいてヘッド５３の磁気ディスク５１上の位置検出を行う。制御装置は位置検出の結果に基づいて、モータ８０を駆動して駆動軸５４を回転し、各ヘッド５３を図１の矢印Ｂのように磁気ディスク５１の半径方向に円弧状に移動させて、所定のトラック位置に停止させる。【００３４】
なお、図２では複数枚の磁気ディスク５１の両面に記録再生する磁気記録装置１００について説明したが、複数枚の場合に限定されるものではなく、磁気ディスク５１が１枚の場合でも、また片面に記録または、記録再生する場合でも本発明を適用できる。【００３５】
〔ヘッドの概略〕
ヘッド５３の概略構成の一例を図３に示す。【００３６】
ヘッド５３は、アーム１９のサスペンション部１８に支持されている。ヘッド５３には、記録素子１０３、再生素子１０４が設けられている。また、ヘッド５３には、穴１０６が設けられ穴１０６の底面にはプリズム１０５が収容されている。プリズム１０５の下部には光導波路１０７が設けられている。光導波路１０７は、約２００ｎｍの口径で形成されており、ヘッド５３の底面の出射端面にはプラズモンプローブ１０８が設けられている。【００３７】
プラズモンプローブ１０８は例えば三角形の平板状金属薄膜（材料例：アルミニウム、金、銀等）であり、曲率半径２０ｎｍ以下の頂点Ｐを有するアンテナを有している。プラズモンプローブ１０８に光が作用すると、その頂点Ｐ近辺に近接場光が発生して、非常に小さいスポットサイズの光を用いた記録又は再生を行うことが可能となることが知られている。本実施形態では光導波路の光射出位置にプラズモンプローブ１０８を設けることにより局所プラズモンを発生させ、光導波路で形成された光スポットのサイズを３０ｎｍ程度に小さくしている。なお、本実施形態では光導波路１０７の中央にプラズモンプローブ１０８の頂点Ｐが位置するものとし、プラズモンプローブ１０８の部分を加熱部１０２と呼ぶ。【００３８】
更に、ヘッド５３には、光ファイバ５６が埋設されており、光ファイバ５６から射出されたレーザ光がプリズム１０５に入射されるように、光ファイバ５６の射出端がヘッド５３内に配置されている。光ファイバは直径５０〜２５０μｍ程度のものが用いられる。【００３９】
情報記録時には、光ファイバ５６を介してプリズム１０５にレーザ光が照射される。プリズム内で屈折及び反射したレーザ光は、光導波路１０７によりガイドされるとともに、レーザビーム径が０．０５μｍ程度に縮小される。さらにプラズモンプローブ１０８により光スポットのサイズを３０ｎｍ程度に小さくする。このようにして、レーザ光は加熱部１０２の中心を通って磁気ディスク５１上に照射され、所定の微小領域を加熱することができる。【００４０】
加熱部１０２を通じてレーザ光を磁気ディスク５１上に照射し、回転する磁気ディスク５１上の微小領域を加熱するとともに、当該加熱された微小領域に記録素子１０３で磁界を印加する。このように印加された磁界によって回転する磁気ディスク５１上に記録される円周状の磁区をトラックと呼ぶ。【００４１】
図３ではプリズム１０５を用いた例について説明したが、光学素子はプリズム１０５に限定されるものではなくミラーやレンズなどを用いても良い。また、光学素子を用いず、光ファイバで導いた光をプラズモンプローブ１０８を介して磁気ディスク５１に照射するヘッド５３を用いても良い。【００４２】
図４は本発明に係わる磁気記録装置１００において、ヘッド５３が磁気ディスク５１の半径方向に円弧状に移動する範囲を説明する説明図である。【００４３】
なお、これまでに説明した機能要素と同一の機能要素には同番号を付し、説明を省略する。【００４４】
図中５３ａは磁気ディスク５１の最外周のトラックに記録する際のヘッド５３ａの位置を示している。また、５３ｃは磁気ディスク５１の最内周のトラックに記録する際のヘッド５３ｃの位置を示している。なお、ヘッド５３ａ、５３ｃのアーム１９、サスペンション部１８等は図示していない。５３ｂは最外周と最内周の中間のトラックに記録する際のヘッド５３ｂの位置を示している。【００４５】
Ｍは磁気ディスク５１の回転中心であり、Ｍを通りＬ２と平行な線分をＸ軸、Ｘ軸と直交する線分をＹ軸とする。また、Ｘ軸、Ｙ軸の矢印で示す方向を正方向とする。【００４６】
Ｌ１はヘッド５３ａに設けられた図４には図示せぬ加熱部１０２の中心と駆動軸５４の回転中心Ｏとを結ぶ線分である。また、Ｌ２はヘッド５３ｂに設けられた図４には図示せぬ加熱部１０２の中心と駆動軸５４の回転中心Ｏとを結ぶ線分である。さらに、Ｌ３はヘッド５３ｃに設けられた図４には図示せぬ加熱部１０２の中心と駆動軸５４の回転中心Ｏとを結ぶ線分である。θ１はＬ１とＬ２の間の角度であり、θ２はＬ２とＬ３の間の角度である。線分Ｌ２はＸ軸と平行とし、Ｌ２を基準とするとヘッド５３は最外周方向にθ１、最内周方向にθ２だけＯを中心に回転する。【００４７】
このように、ヘッド５３は、最外周方向に移動したときはθ１、最内周方向に移動したときはθ２、Ｘ軸に対して傾く。【００４８】
次に、図５、図６を用いて本発明の第１の実施形態のヘッド５３と記録素子１０３を説明する。図５は図４で説明した各トラック位置における第１の実施形態のヘッド５３ａ、５３ｂ、５３ｃを、図４と同じ側から見た平面図である。図５では説明のためヘッド５３の磁気ディスク５１と対向する面に設けられた加熱部１０２、記録素子１０３、再生素子１０４を図示している。【００４９】
図６は第１の実施形態の記録素子１０３の構成の一例を説明する図面である。最初に図６を用いて記録素子１０３の構成について説明する。図６（ａ）は記録素子１０３を磁気ディスク５１の側から見た平面図、図６（ｂ）は断面図である。【００５０】
記録素子１０３は一般に用いられている磁気ヘッドであり、磁性材料で構成されるコア１２１にコイル１２３が巻き付けられている。コイル１２３に電気信号を印加すると磁気印加部１２０から磁界が発生し磁気ディスク５１上に磁気パターンを記録することができる。Ｇは磁気印加部１２０の長さであり、この範囲に磁界を発生する。【００５１】
次に、図５（ｂ）に示す最外周と最内周の中間の基準位置のトラックに記録する際のヘッド５３ｂについて説明する。前述のように、加熱部１０２を通じてレーザ光を媒体上に照射し、磁気ディスク５１の微小領域を加熱するとともに、当該加熱された微小領域に記録素子１０３で磁界を印加して記録する。加熱された微小領域は加熱によって磁気軟化を生じ、保磁力が小さくなっているので、記録素子１０３で発生する磁界で磁気記録することができる。一方、加熱されていない領域は保持力が高く記録素子１０３が磁界を印加しても記録することはできない。【００５２】
このように、記録素子１０３は磁気印加部１２０の長さＧの範囲で磁界を磁気ディスク５１に印加するが、磁気印加部１２０の長さＧが磁気ディスク５１に記録される領域になるのではなく、加熱された領域の幅が記録された磁気トラックの幅になる。【００５３】
図５のｄ１は加熱部１０２の中心と駆動軸５４の回転中心Ｏを結ぶ線分が磁気印加部１２０と交差する点と、加熱部１０２の中心との距離を示している。図５（ｂ）の矢印Ｓ２で示す線分は磁気ディスク５１上の加熱された微小領域が移動するトラックの中央部分の接線である。接線Ｓ２は加熱した近傍ではＸ軸の正方向であり、線分Ｌ２と一致している。【００５４】
図５（ａ）はヘッド５３を基準位置から最外周方向にθ１回転させて最外周のトラックに移動した場合である。矢印Ｓ１で示す線分は磁気ディスク５１上の加熱された微小領域が移動するトラックの最外周の接線である。接線Ｓ１は加熱した微小領域の近傍ではＸ軸の正方向であり、線分Ｌ１は接線Ｓ１に対しθ１傾いている。すなわち、加熱部１０２の中心と駆動軸５４の回転中心Ｏを結ぶ線分Ｌ１と、加熱部１０２が加熱したトラックの最外周の接線Ｓ１との成す角はθ１である。【００５５】
前述のように、加熱された微小領域に磁界を印加しないと磁気記録できないので、磁気印加部１２０は少なくとも加熱された微小領域が移動する接線Ｓ１を横切る長さでなければならない。ヘッド５３が最外周のトラックに移動した場合に必要な磁気印加部１２０の長さｇ１は式（１）を満たす必要がある。【００５６】
ｇ１＞ｄ１×ｔａｎ｜θ１｜・・・・・（１）
図５（ｃ）のように基準位置からヘッド５３を最内周方向にθ２回転させて移動した場合も同様である。加熱部１０２の中心と駆動軸５４の回転中心Ｏを結ぶ線分Ｌ３と、加熱部１０２が加熱したトラックの最内周の接線Ｓ２との成す角をθ２とする。接線Ｓ３と線分Ｌ３とはθ２傾いているので、ヘッド５３を最内周方向にθ２移動させた場合に必要な磁気印加部１２０の長さｇ２は式（２）を満たす必要がある。【００５７】
ｇ２＞ｄ１×ｔａｎ｜θ２｜・・・・・（２）
このようにして最外周と最内周でも記録可能な磁気印加部１２０の長さＧは式（３）で求められる。【００５８】
Ｇ＞ｇ１＋ｇ２＝ｄ１×ｔａｎ｜θ１｜＋ｄ１×ｔａｎ｜θ２｜
例えば、ｄ１が１μｍであり、｜θ１｜＝｜θ２｜＝１０°とすると、磁気印加部１２０の長さＧ＞０．３５３μｍの記録素子１０３が必要である。【００５９】
なお、磁気印加部１２０の長さＧが長くなると発生する磁界の損失が大きくなるため、トラックの間隔より短い長さにすることが好ましい。【００６０】
以上このように、記録素子１０３の磁気印加部１２０の長さＧを長くすることにより、記録素子１０３を磁気ディスク５１の半径方向にヘッドを円弧状に移動させるときに発生する加熱部１０２と記録素子１０３の位置ずれの影響がないようにした。このことにより簡単な構成で、高密度の磁気記録を行うことができる。【００６１】
次に、図７、図８を用いて本発明の第２の実施形態のヘッド５３と記録素子１０３を説明する。図７は図４で説明した各トラック位置における第２の実施形態のヘッド５３ａ、５３ｂ、５３ｃを、図４と同じ側から見た平面図である。図７では説明のためヘッド５３の磁気ディスク５１と対向する面に設けられた加熱部１０２、記録素子１０３、再生素子１０４を図示している。また、図８は第２の実施形態の記録素子１０３の磁気印加部１２０を説明する図面であり、磁気ディスク５１の側からヘッド５３を見た平面図である。【００６２】
最初に図８を用いて記録素子１０３の構成について説明する。本実施形態の記録素子１０３は磁気印加部１２０が、加熱部１０２の中心を中心とする円弧状になっている点が第１の実施形態との相違点である。記録素子１０３の断面は図６で説明した記録素子１０３と同様であり、磁性材料で構成されるコア１２１にコイル１２３が巻き付けられている。【００６３】
図７（ｂ）は最外周と最内周の中間のトラックに記録する場合であり、図５（ｂ）と同様に加熱された微小領域が記録される。図７（ｂ）の矢印Ｓ２で示す線分は磁気ディスク５１上の加熱された微小領域が移動する接線である。接線Ｓ２は加熱した微小領域の近傍ではＸ軸の正方向であり、線分Ｌ２と一致している。このときの加熱部１０２の中心と駆動軸５４の回転中心Ｏを結ぶ線分が磁気印加部１２０と交差する点と、加熱部１０２の中心との距離をｄ２とする。【００６４】
図７（ａ）のように最外周のトラックにおいては、矢印Ｓ１で示す磁気ディスク５１上の加熱された微小領域が移動するトラックの最外周の接線Ｓ２と、線分Ｌ１とはθ１傾いている。そのため、加熱された微小領域に磁界を印加する部分は図７（ａ）では磁気印加部１２０の上部になる。このときの加熱領域の中心と磁気印加部１２０が接線Ｓ２を横切る交点との距離を図７（ａ）に示すｄ３とする。【００６５】
また、図７（ｃ）のようにヘッド５３を最内周のトラックにθ２回転させて移動した場合は、矢印Ｓ３で示す磁気ディスク５１上の加熱された微小領域が移動する接線Ｓ３と、線分Ｌ３とはθ２傾いている。そのため、加熱された微小領域に磁界を印加する部分は図７（ｃ）では磁気印加部１２０の下部になる。このときの加熱領域の中心と磁気印加部１２０が接線Ｓ２を横切る交点との距離を図７（ｃ）に示すｄ４とする。【００６６】
本実施形態では、ヘッド５３に実装された記録素子１０３の磁気印加部１２０の形状が、加熱部１０２の中心を中心とする円弧状であり、加熱部１０２の中心からの距離がいずれの位置においても等距離になっている。すなわちｄ２＝ｄ３＝ｄ４なので、加熱部１０２を通じてレーザ光で加熱してから磁気印加部１２０から磁界を印加するまでの時間が、ヘッド５３を磁気ディスク５１上のどの位置に移動させても一定になる。そのため、磁界を印加する際の磁気ディスク５１上の加熱された微小領域の温度が一定になり、安定した条件で磁気記録を行うことができる。【００６７】
なお、読み出し動作は書き込み動作とは別に行われるために、読み出し動作にかかわる再生素子１０４は加熱部１０２や記録素子１０３との相対位置の制限は生じない。【００６８】
以上このように、本発明によれば、簡単な構成で、高密度の磁気記録を行うことができる磁気記録装置を提供できる。
【図３】
2008068973.tif 000003
【図７】
2008068973.tif 000004
【図８】
2008068973.tif 000005
【図１】
2008068973.tif 000006
【図２】
2008068973.tif 000007
【図４】
2008068973.tif 000008
【図５】
2008068973.tif 000009
【図６】
2008068973.tif 000010
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
円盤状の磁気ディスクを回転させるディスク駆動手段と、
前記磁気ディスクの円周状のトラックを加熱する加熱部と電気信号によって変調された磁界を前記磁気ディスクに印加する記録素子とを有するヘッドと、
駆動軸を中心に回転することで、前記ヘッドを前記磁気ディスクの半径方向に円弧状に移動させるヘッド駆動手段と、を備えた磁気記録装置において、
前記記録素子は、前記磁気ディスクの記録を行う何れのトラックにおいても、前記加熱部が加熱した前記トラックに磁気を印加することが可能な長さからなる磁気印加部を有することを特徴とする磁気記録装置。
【請求項２】
前記加熱部の中心と前記駆動軸の回転中心を結ぶ線分が前記磁気印加部と交差する点と、前記加熱部の中心との距離をｄ１、
最外周のトラックにおいて前記加熱部の中心と前記駆動軸の回転中心を結ぶ線分Ｌ１と、前記加熱部が加熱した前記トラックの最外周の接線Ｓ１との成す角をθ１、
最内周のトラックにおいて前記加熱部の中心と前記駆動軸の回転中心を結ぶ線分Ｌ３と、前記加熱部が加熱した前記トラックの最内周の接線Ｓ２との成す角をθ２、とした場合、
前記磁気印加部の長さＧは式（Ａ）を満足することを特徴とする請求の範囲第１項に記載の磁気記録装置。
Ｇ＞ｄ１×ｔａｎ｜θ１｜＋ｄ１×ｔａｎ｜θ２｜・・・・（Ａ）
【請求項３】
前記磁気印加部の形状は、前記加熱部の中心を中心とする円弧状であることを特徴とする請求の範囲第１項に記載の磁気記録装置。
【請求項４】
前記加熱部は、光の照射によって前記トラックを加熱するものであることを特徴とする請求の範囲第１項乃至第３項の何れか１項に記載の磁気記録装置。
【請求項５】
前記ヘッドは、光源からの光を該ヘッドに導くための光ファイバが配設されていることを特徴とする請求の範囲第４項に記載の磁気記録装置。
【請求項６】
前記加熱部は、近接場光を発生させて前記トラックに照射するためのプラズモンプローブを有することを特徴とする請求の範囲第４項に記載の磁気記録装置。
【請求項７】
前記ヘッドは、前記磁気ディスクに記録された磁気情報を読みとるための再生素子を有することを特徴とする請求の範囲第１項乃至第３項の何れか１項に記載の磁気記録装置。
【請求項８】
回転している円盤状の磁気ディスクの円周状のトラックを加熱する加熱部と電気信号によって変調された磁界を前記磁気ディスクに印加する記録素子とを有するヘッドと、
駆動軸を中心に回転することで、前記ヘッドを前記磁気ディスクの半径方向に円弧状に移動させるヘッド駆動手段と、を備えた磁気記録ヘッド駆動機構において、
前記記録素子は、前記磁気ディスクの記録を行う何れのトラックにおいても、前記加熱部が加熱した前記トラックに磁気を印加することが可能な長さからなる磁気印加部を有することを特徴とする磁気記録ヘッド駆動機構。
【請求項９】
前記加熱部の中心と前記駆動軸の回転中心を結ぶ線分が前記磁気印加部と交差する点と、前記加熱部の中心との距離をｄ１、
最外周のトラックにおいて前記加熱部の中心と前記駆動軸の回転中心を結ぶ線分Ｌ１と、前記加熱部が加熱した前記トラックの最外周の接線Ｓ１との成す角をθ１、
最内周のトラックにおいて前記加熱部の中心と前記駆動軸の回転中心を結ぶ線分Ｌ３と、前記加熱部が加熱した前記トラックの最内周の接線Ｓ２との成す角をθ２、とした場合、
前記磁気印加部の長さＧは式（Ａ）を満足することを特徴とする請求の範囲第８項に記載の磁気記録ヘッド駆動機構。
Ｇ＞ｄ１×ｔａｎ｜θ１｜＋ｄ１×ｔａｎ｜θ２｜・・・・（Ａ）
【請求項１０】
前記磁気印加部の形状は、前記加熱部の中心を中心とする円弧状であることを特徴とする請求の範囲第８項に記載の磁気記録ヘッド駆動機構。
【請求項１１】
前記加熱部は、光の照射によって前記トラックを加熱するものであることを特徴とする請求の範囲第８項乃至第１０項の何れか１項に記載の磁気記録ヘッド駆動機構。
【請求項１２】
前記ヘッドは、光源からの光を該ヘッドに導くための光ファイバが配設されていることを特徴とする請求の範囲第１１項に記載の磁気記録ヘッド駆動機構。
【請求項１３】
前記加熱部は、近接場光を発生させて前記トラックに照射するためのプラズモンプローブを有することを特徴とする請求の範囲第１１項に記載の磁気記録ヘッド駆動機構。
【請求項１４】
前記ヘッドは、前記磁気ディスクに記録された磁気情報を読みとるための再生素子を有することを特徴とする請求の範囲第８項乃至第１０項の何れか１項に記載の磁気記録ヘッド駆動機構。
【手続補正３】
【補正対象書類名】明細書
【補正対象項目名】００１１
【補正方法】変更
【補正の内容】
【００１１】
１．  円盤状の磁気ディスクを回転させるディスク駆動手段と、前記磁気ディスクの円周状のトラックを加熱する加熱部と電気信号によって変調された磁界を前記磁気ディスクに印加する記録素子とを有するヘッドと、駆動軸を中心に回転することで、前記ヘッドを前記磁気ディスクの半径方向に円弧状に移動させるヘッド駆動手段と、を備えた磁気記録装置において、前記記録素子は、前記磁気ディスクの記録を行う何れのトラックにおいても、前記加熱部が加熱した前記トラックに磁気を印加することが可能な長さからなる磁気印加部を有することを特徴とする磁気記録装置。
【手続補正４】
【補正対象書類名】明細書
【補正対象項目名】００１８
【補正方法】変更
【補正の内容】
【００１８】
８．  回転している円盤状の磁気ディスクの円周状のトラックを加熱する加熱部と電気信号によって変調された磁界を前記磁気ディスクに印加する記録素子とを有するヘッドと、駆動軸を中心に回転することで、前記ヘッドを前記磁気ディスクの半径方向に円弧状に移動させるヘッド駆動手段と、を備えた磁気記録ヘッド駆動機構において、前記記録素子は、前記磁気ディスクの記録を行う何れのトラックにおいても、前記加熱部が加熱した前記トラックに磁気を印加することが可能な長さからなる磁気印加部を有することを特徴とする磁気記録ヘッド駆動機構。
【手続補正５】
【補正対象書類名】明細書
【補正対象項目名】００１９
【補正方法】変更
【補正の内容】
【００１９】
９．  前記加熱部の中心と前記駆動軸の回転中心を結ぶ線分が前記磁気印加部と交差する点と、前記加熱部の中心との距離をｄ１、最外周のトラックにおいて前記加熱部の中心と前記駆動軸の回転中心を結ぶ線分Ｌ１と、前記加熱部が加熱した前記トラックの最外周の接線Ｓ１との成す角をθ１、最内周のトラックにおいて前記加熱部の中心と前記駆動軸の回転中心を結ぶ線分Ｌ３と、前記加熱部が加熱した前記トラックの最内周の接線Ｓ２との成す角をθ２、とした場合、前記磁気印加部の長さＧは式（Ａ）を満足することを特徴とする前記８に記載の磁気記録ヘッド駆動機構。
【手続補正６】
【補正対象書類名】明細書
【補正対象項目名】００２０
【補正方法】変更
【補正の内容】
【００２０】
Ｇ＞ｄ１×ｔａｎ｜θ１｜＋ｄ１×ｔａｎ｜θ２｜・・・・（Ａ）
１０．  前記磁気印加部の形状は、前記加熱部の中心を中心とする円弧状であることを特徴とする前記８に記載の磁気記録ヘッド駆動機構。
【手続補正７】
【補正対象書類名】明細書
【補正対象項目名】００２１
【補正方法】変更
【補正の内容】
【００２１】
１１．  前記加熱部は、光の照射によって前記トラックを加熱するものであることを特徴とする前記８乃至１０の何れか１項に記載の磁気記録ヘッド駆動機構。
【手続補正８】
【補正対象書類名】明細書
【補正対象項目名】００２２
【補正方法】変更
【補正の内容】
【００２２】
１２．  前記ヘッドは、光源からの光を該ヘッドに導くための光ファイバが配設されていることを特徴とする前記１１に記載の磁気記録ヘッド駆動機構。
【手続補正９】
【補正対象書類名】明細書
【補正対象項目名】００２３
【補正方法】変更
【補正の内容】
【００２３】
１３．  前記加熱部は、近接場光を発生させて前記トラックに照射するためのプラズモンプローブを有することを特徴とする前記１１に記載の磁気記録ヘッド駆動機構。
【手続補正１０】
【補正対象書類名】明細書
【補正対象項目名】００２４
【補正方法】変更
【補正の内容】
【００２４】
１４．  前記ヘッドは、前記磁気ディスクに記録された磁気情報を読みとるための再生素子を有することを特徴とする前記８乃至１０の何れか１項に記載の磁気記録ヘッド駆動機構。